(57)【要約】【課題】  電子銃がネック部に対して傾いたり偏芯したりしても、ゲッター支持体がネック部及びファンネル部の内周面に形成された導電性膜に接触するのを防止する。【解決手段】  ゲッター支持体６の一端は電子銃のシールドカップ８に固定され、他端にはゲッター容器５が固定されている。ゲッター支持体６のうち、管軸１０方向においてゲッター支持体６のシールドカップ８側端からネック部３とファンネル部２との接合部９までの範囲内に位置する部分は、ゲッター支持体６の長手方向に垂直な面に沿った断面形状がネック部３の内周面に向かって凸に変形された変形部である。【選択図】  図８
2006331902.tif 000002
【特許請求の範囲】
【請求項１】
パネル部、ファンネル部、及びネック部からなるガラスバルブと、前記ネック部に内蔵された電子銃と、前記電子銃のシールドカップに一端を固定されたゲッター支持体と、前記ゲッター支持体の他端に固定されたゲッター容器とを備えた陰極線管であって、
前記ゲッター支持体のうち、管軸方向において前記ゲッター支持体の前記シールドカップ側端から前記ネック部と前記ファンネル部との接合部までの範囲内に位置する部分は、前記ゲッター支持体の長手方向に垂直な面に沿った断面形状が前記ガラスバルブの内周面に向かって凸に変形された変形部であることを特徴とする陰極線管。
【請求項２】
前記ゲッター支持体の長手方向に垂直な面に沿った断面における前記変形部の半径が前記ネック部の内径以下である請求項１に記載の陰極線管。
【請求項３】
前記ゲッター支持体のうち、管軸方向において前記ネック部と前記ファンネル部との接合部から前記ゲッター容器側端までの範囲内に位置する部分は帯板状である請求項１又は２に記載の陰極線管。
【請求項４】
前記ゲッター支持体は、前記変形部と前記帯板状である部分との境界近傍に切り込みを有する請求項３に記載の陰極線管。
【発明の詳細な説明】
【技術分野】
【０００１】
本発明は、陰極線管に関する。
【背景技術】
【０００２】
通常の陰極線管は、フェース部、ファンネル部、及びネック部からなるガラスバルブのネック部に電子銃が内蔵されている。電子銃は、フェース部側端に略円筒形状のシールドカップを有し、シールドカップの外周側面には、ゲッター容器を支持する帯板状のゲッター支持体の一端が固定されている。ゲッター支持体は、ネック部及びファンネル部の内周面に対して一定の間隔を隔てて配置され、そのフェース部側端にはゲッター容器が固着されている。ゲッター容器は、バリウム等からなるゲッターを保持するための金属製の容器である。陰極線管の製造過程で管外からゲッター容器を高周波誘導加熱して、ガラスバルブの内壁面にゲッター膜を形成する。ゲッター膜は管内に残留するガスを吸着するので、管内を高真空に維持することができる。
【０００３】
ファンネル部及びネック部の内周面には、部分的に導電性膜が塗布されている。導電性膜は、ファンネル部に設けられたアノードボタンと、電子銃のシールドカップに保持されたセンタリングスプリングとを電気的に接続している。これにより、管外から、アノードボタン、導電性膜、センタリングスプリングを順に介して、電子銃に高電圧が供給される。
【０００４】
かかる電子銃においては、シールドカップの略円筒面に平坦なゲッター支持体が固定されるので、シールドカップに対してゲッター支持体が傾いて固定される場合がある。このような場合には、ゲッター支持体がファンネル部やネック部の内周面に形成された導電性膜に接触して、導電性膜を削り、その削られた導電性膜の粉が電子銃の電極に付着して、陰極線管の耐電圧特性を著しく劣化させるという問題があった。
【０００５】
この対策として、シールドカップのゲッター支持体が固定される部分を平坦にしたり、ゲッター支持体のシールドカップに固定される部分をシールドカップの外周面と同じ曲率の円筒面にしたりすることにより、シールドカップとゲッター支持体とを面接触させることで、シールドカップに対するゲッター支持体の取付け精度を向上させることが提案されている（例えば特許文献１参照）。
【特許文献１】特公平７−８２８１７号公報
【発明の開示】
【発明が解決しようとする課題】
【０００６】
しかしながら、ゲッター支持体の導電性膜への接触は、シールドカップに対するゲッター支持体の取付け精度を向上させるだけでは解消できない。例えば、電子銃がネック部に対して傾いたり、偏芯したりした場合にもゲッター支持体が導電性膜に接触することがある。従って、上記の特許文献１では、導電性膜が削られて、陰極線管の耐電圧特性が劣化するという問題を十分に解消することはできない。
【０００７】
本発明は上記問題を解決し、電子銃がネック部に対して傾いたり偏芯したりしても、ゲッター支持体がネック部及びファンネル部の内周面に形成された導電性膜に接触するのを防ぐことができ、これにより、陰極線管の耐電圧特性を向上させることを目的とする。
【課題を解決するための手段】
【０００８】
本発明の陰極線管は、パネル部、ファンネル部、及びネック部からなるガラスバルブと、前記ネック部に内蔵された電子銃と、前記電子銃のシールドカップに一端を固定されたゲッター支持体と、前記ゲッター支持体の他端に固定されたゲッター容器とを備える。
【０００９】
前記ゲッター支持体のうち、管軸方向において前記ゲッター支持体の前記シールドカップ側端から前記ネック部と前記ファンネル部との接合部までの範囲内に位置する部分は、前記ゲッター支持体の長手方向に垂直な面に沿った断面形状が前記ガラスバルブの内周面に向かって凸に変形された変形部であることを特徴とする。
【発明の効果】
【００１０】
本発明によれば、電子銃がネック部に対して傾いたり偏芯したりしても、ゲッター支持体がネック部及びファンネル部の内周面に形成された導電性膜に接触するのを防ぐことができる。その結果、導電性膜が削られることにより発生する管内ダストを減らすことができるので、陰極線管の耐電圧特性が向上する。
【発明を実施するための最良の形態】
【００１１】
本発明の上記の陰極線管において、前記ゲッター支持体の長手方向に垂直な面に沿った断面における前記変形部の半径が前記ネック部の内径以下であることが好ましい。これにより、導電性膜と、導電性膜を削り取る可能性が高いゲッター支持体の幅方向の両端縁との間の間隔を大きくすることができる。
【００１２】
前記ゲッター支持体のうち、管軸方向において前記ネック部と前記ファンネル部との接合部から前記ゲッター容器側端までの範囲内に位置する部分は帯板状であることが好ましい。ここで、ゲッター支持体が「帯板状」であるとは、その長手方向に垂直な断面形状が実質的に変形されていない（即ち、ほぼ直線状に延びている）ことを意味する。偏向磁界の電子ビームに対する影響はファンネル部において最も強い。ゲッター支持体のファンネル部内に位置する部分が帯板状であることにより、ゲッター支持体と電子ビーム軌道との距離を大きくすることができるので、ゲッター支持体で発生する渦電流による磁界が電子ビームに及ぼす影響を低減できる。また、管軸に垂直な断面において、ファンネル部の内面は、ネック部の内面に比べて、非常に緩やかな曲面になっているため、ファンネル部内においてゲッター支持体が帯板状であっても、導電性膜と、導電性膜を削り取る可能性が高いゲッター支持体の幅方向の両端縁とが著しく接近する可能性は小さい。
【００１３】
前記ゲッター支持体は、前記変形部と前記帯板状である部分との境界近傍に切り込みを有することが好ましい。この切り込みを境界として、その両側の部分での断面形状を互いに異ならせることができ、これにより、ゲッター支持体を容易に製作できる。
【００１４】
以下、本発明を実施の形態を示しながら説明する。
【００１５】
図１は本発明の一実施形態に係る陰極線管の概略構成を示す断面図である。陰極線管は、パネル部１、ファンネル部（管軸１０の位置に応じて内寸法が変化している部分）２、及びネック部（管軸１０方向の位置にかかわらず内寸法がほぼ一定である部分）３からなるガラスバルブと、ネック部３に内蔵された電子銃４とを備える。ファンネル部２及びネック部３の内壁面の一部には導電性膜７が塗布されている。
【００１６】
電子銃４は管軸１０に沿って配置された複数の電極を備え、最もパネル部１側に円筒形状のシールドカップ８が配置されている。シールドカップ８には、複数のセンタリングスプリング８１が片持ち支持されている。複数のセンタリングスプリング８１の先端が導電性膜７に接触することで、シールドカップ８と導電性膜７とを電気的に接続するとともに、電子銃４を弾性的に支持している。
【００１７】
ゲッター支持体６の一端はシールドカップ８の外周側面に固定され、他端にはゲッター容器５が固定されている。ゲッター支持体６はネック部３及びファンネル部２の内周面に対してほぼ一定の間隔となるように湾曲している。ゲッター容器５は、ゲッター支持体６の弾性力により生じる付勢力で導電性膜７に押さえ付けられている。
【００１８】
管軸１０方向においてゲッター支持体６のシールドカップ８側端からネック部３とファンネル部２との接合部９までの範囲内においては、ゲッター支持体６の長手方向に垂直な面に沿った断面形状がガラスバルブ（この場合は、ネック部３）の内周面に向かって凸となるようにゲッター支持体６は変形されている。ここで、「ネック部３とファンネル部２との接合部９」とは、内寸法が、管軸１０方向の位置にかかわらず一定である領域（ネック部３）から、管軸１０の位置に応じて変化（増加）する領域（ファンネル部２）へと遷移する地点をいう。
【００１９】
本発明を２９型陰極線管に適用した場合の一実施例（以下、「実施例」という）を示す。ネック部３の内周面は半径１３ｍｍの円筒面であり、シールドカップ８の外周面の半径は１１ｍｍとした。ゲッター支持体６として、厚さ０．２５ｍｍ、幅４ｍｍ、長さ１２０ｍｍの帯板状の金属材料を用いた。ゲッター支持体６のうち、管軸１０方向においてゲッター支持体６のシールドカップ８側端からネック部３とファンネル部２との接合部９までの範囲内に位置する部分は、管軸１０を中心とする半径１１．５ｍｍの円筒面の一部となるように湾曲させた。一方、ゲッター支持体６のうち、管軸１０方向においてネック部３とファンネル部２との接合部９からゲッター容器５側端までの範囲内に位置する部分は、帯板状のままとした。
【００２０】
ゲッター支持体６には、陰極線管の動作中に、ファンネル部２の外周面に搭載される偏向装置（図示せず）による偏向磁界により渦電流が発生する。この渦電流による磁界が電子ビームに影響を与えないようにするために、ゲッター支持体６は電子ビーム軌道からなるべく遠ざけることが好ましい。但し、ゲッター支持体６は、ファンネル部２及びネック部３の内周面に形成された導電性膜７に接触しないように、導電性膜７に対して所定の距離だけ離間させることが好ましい。実施例では、ゲッター支持体６と導電性膜７との間の間隔は、０．５〜３ｍｍとした。
【００２１】
次に、本発明の効果を確認した実験結果について説明する。
【００２２】
図２（Ａ）及び図２（Ｂ）は、いずれも上記の実施例に係る本発明の陰極線管の、ネック部３とファンネル部２との接合部９の近傍での断面を、フェース部１側から見た図である。図２（Ａ）は、電子銃の中心軸が管軸と一致している場合を示し、図２（Ｂ）は、電子銃の中心軸が管軸に対して傾いている場合を示している。本実施例では、ゲッター支持体６のうちネック部３内に位置する部分は、管軸１０を中心とする円筒面状に湾曲しているので、電子銃の中心軸が管軸に対して傾いていても、ゲッター支持体６が導電性膜７に接触することはなかった。なお、図中、８ａは略カップ形状のシールドカップ８の底面に形成された電子ビーム通過孔である。
【００２３】
これと比較するため、全長にわたって、その長手方向に垂直な断面形状が実質的に変形されていない、従来の一般的なゲッター支持体６を用いる以外は上記実施例と同様にして陰極線管を製作した（「比較例１」とする）。図３（Ａ）及び図３（Ｂ）は、いずれも比較例１に係る陰極線管の、ネック部３とファンネル部２との接合部９の近傍での断面を、フェース部１側から見た図である。図３（Ａ）は、電子銃の中心軸が管軸と一致している場合を示し、図３（Ｂ）は、電子銃の中心軸が管軸に対して傾いている場合を示している。図３（Ｂ）に示すように、電子銃の中心軸が管軸に対して傾くと、ゲッター支持体６の幅方向の端縁６ａが導電性膜７に接触し、導電性膜７の一部が削り落とされた。
【００２４】
更に、特許文献１に記載されているように、シールドカップ８の外周面の一部に平坦部８ａを設け、この平坦部８ａに、全長にわたって、その長手方向に垂直な断面形状が実質的に変形されていないゲッター支持体６を固定する以外は上記実施例と同様にして陰極線管を製作した（「比較例２」とする）。図４（Ａ）及び図４（Ｂ）は、いずれも比較例２に係る陰極線管の、ネック部３とファンネル部２との接合部９の近傍での断面を、フェース部１側から見た図である。図４（Ａ）は、電子銃の中心軸が管軸と一致している場合を示し、図４（Ｂ）は、電子銃の中心軸が管軸に対して傾いている場合を示している。図４（Ｂ）に示すように、上記の比較例１と同様に、電子銃の中心軸が管軸に対して傾くと、ゲッター支持体６の幅方向の端縁６ａが導電性膜７に接触し、導電性膜７の一部が削り落とされた。
【００２５】
実際の生産工程で上記の実施例及び比較例１，２の陰極線管の耐電圧特性を比較した。これらの３種類の陰極線管の製造方法は、ゲッター支持体６の形状及びこれが固定されるシールドカップ８の部分の形状以外は全て同じとした。得られた陰極線管の耐電圧不良率を比較すると、比較例１に係る陰極線管の耐電圧不良率に対して、比較例２に係る陰極線管では２０％低減し、実施例に係る陰極線管では５０％低減した。
【００２６】
上記の説明では、ゲッター支持体６のうちネック部３内に位置する部分は、管軸１０を中心とする円筒面状に湾曲されていたが、本発明はこれに限定されず、ゲッター支持体６の長手方向に垂直な面に沿った断面形状がネック部３の内周面に向かって凸に変形されていればよい。例えば、図５（Ａ）、図５（Ｂ）に示すような断面が略Ｖ字状のゲッター支持体６や、図６（Ａ）、図６（Ｂ）に示すような断面が略Ｕ字状のゲッター支持体６を用いても良い。いずれの場合も、ゲッター支持体６の幅方向の両端縁６ａと導電性膜７との距離を上記比較例１（図３（Ａ）、図３（Ｂ）を参照）及び比較例２（図４（Ａ）、図４（Ｂ）を参照）に比べて拡大することができるので、上記の実施例と同様の効果を得ることができる。
【００２７】
ゲッター支持体６は、その弾性力によりゲッター容器５をファンネル部２の内周面に押し付ける。従来の帯板状のゲッター支持体６は、所望の押し付け力を発生させるために、図７に示すように、ネック部３内で、管軸１０に接近する方向に湾曲されることがあった。この場合、ゲッター支持体６が電子ビーム軌道を遮断して画面上にゲッター支持体６の影が形成されてしまうことがあった。
【００２８】
これに対して、本発明では、ゲッター支持体６のうちネック３内に位置する部分は、その長手方向に垂直な断面形状が変形されているので、この部分（変形部）の強度が向上する。従って、図８に示すように、ネック部３内において、ゲッター支持体６をネック部３の内周面に対してほぼ一定の間隔を保って直線状に配置しても、ゲッター容器５をファンネル部２の内周面に対して所望する力で押さえ付けることが容易に可能である。この結果、ゲッター支持体６が電子ビーム軌道を遮断することはなく、また、画面上にゲッター支持体６の影が形成されることもない。この点でも本発明は大きな利点を有している。
【００２９】
本発明においては、管軸１０方向において、少なくともネック部３内に位置する範囲内では、ゲッター支持体６の長手方向に垂直な面に沿った断面形状はネック部３の内周面に向かって凸に変形されている必要がある。管軸１０方向において、ファンネル部２内に位置する範囲内では、同様に変形されていても良いが、図８に示すようにゲッター支持体６をファンネル部２の内周面に対してほぼ一定の間隔を保って湾曲させ、且つ、適度な弾性力を発生させるためには、帯板状であることが好ましい。この場合、図９に示すように、断面形状が変形された部分（変形部）６１と帯板状である部分（帯板状部）６２との境界近傍に、ゲッター支持体６の幅方向の両端縁から中央に向かって切り込み６ｂが形成されていることが好ましい。ゲッター容器５をファンネル部２の内周面に対して押さえ付ける力を十分確保するためには、ゲッター支持体６の有効幅Ｗは１．５ｍｍ以上であることが好ましく、この有効幅を確保できれば切り込み６ｂの深さは大きいほど好ましい。
【産業上の利用可能性】
【００３０】
本発明の陰極線管の利用分野は特に限定されず、例えばテレビジョンまたはコンピューターディスプレイ等のカラー受像管として広範囲に利用できる。
【図面の簡単な説明】
【００３１】
【図１】本発明の一実施形態に係る陰極線管の概略構成を示す断面図である。
【図２】（Ａ）は、電子銃の中心軸が管軸と一致している本発明の実施例に係る陰極線管の、図１のＺ−Ｚ面に相当する面での矢視断面図である。（Ｂ）は、電子銃の中心軸が管軸に対して傾いている本発明の実施例に係る陰極線管の、図１のＺ−Ｚ面に相当する面での矢視断面図である。
【図３】（Ａ）は、電子銃の中心軸が管軸と一致している比較例１に係る陰極線管の、図１のＺ−Ｚ面に相当する面での矢視断面図である。（Ｂ）は、電子銃の中心軸が管軸に対して傾いている比較例１に係る陰極線管の、図１のＺ−Ｚ面に相当する面での矢視断面図である。
【図４】（Ａ）は、電子銃の中心軸が管軸と一致している比較例２に係る陰極線管の、図１のＺ−Ｚ面に相当する面での矢視断面図である。（Ｂ）は、電子銃の中心軸が管軸に対して傾いている比較例２に係る陰極線管の、図１のＺ−Ｚ面に相当する面での矢視断面図である。
【図５】（Ａ）は、断面が略Ｖ字状に変形されたゲッター支持体を備えた本発明の別の実施形態に係る陰極線管の、図１のＺ−Ｚ面に相当する面での矢視断面図である。（Ｂ）は、図５（Ａ）に示した陰極線管に用いられるゲッター支持体の長手方向に垂直な面に沿った断面図である。
【図６】（Ａ）は、断面が略Ｕ字状に変形されたゲッター支持体を備えた本発明の別の実施形態に係る陰極線管の、図１のＺ−Ｚ面に相当する面での矢視断面図である。（Ｂ）は、図６（Ａ）に示した陰極線管に用いられるゲッター支持体の長手方向に垂直な面に沿った断面図である。
【図７】従来の陰極線管のゲッター支持体付近の拡大断面図である。
【図８】本発明の一実施形態に係る陰極線管のゲッター支持体付近の拡大断面図である。
【図９】本発明の一実施形態において、ゲッター支持体に形成された切り込みを示した斜視図である。
【符号の説明】
【００３２】
１…パネル部
２…ファンネル部
３…ネック部
４…電子銃
５…ゲッター容器
６…ゲッター支持体
６１…変形部
６２…帯板状部
６ａ…幅方向の端縁
６ｂ…切り込み
７…導電性膜
８…シールドカップ
８１…センタリングスプリング
９…ネック部とファンネル部との接合部
１０…管軸
【図１】
2006331902.tif 000003
【図２】
2006331902.tif 000004
【図３】
2006331902.tif 000005
【図４】
2006331902.tif 000006
【図５】
2006331902.tif 000007
【図６】
2006331902.tif 000008
【図７】
2006331902.tif 000009
【図８】
2006331902.tif 000010
【図９】
2006331902.tif 000011